(57)【特許請求の範囲】
【請求項１】
移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法であって、
前記交換機の第１プロトコル機能が、第１プロトコルレイヤ用メッセージを、前記交換機の第２プロトコル機能に送信する工程と、
前記交換機の第１プロトコル機能が、前記第１プロトコルレイヤ用メッセージを、前記交換機の第２プロトコル機能に送信する際に、該第１プロトコルレイヤ用メッセージの再送タイミングを決定する再送タイマを起動する工程と、
前記交換機の第２プロトコル機能が、前記第１プロトコル用メッセージを含む第２プロトコル用メッセージを、ハンドオーバ元無線基地局に送信する工程と、
前記交換機の第２プロトコル機能が、前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、前記交換機の第１プロトコル機能に、前記第１プロトコルレイヤ用メッセージの再送要求を送信する工程と、
前記交換機の第１プロトコル機能が、前記再送要求に応じて、前記交換機の第２プロトコル機能に、前記第１プロトコルレイヤ用メッセージを再送する工程と、
前記第２プロトコル機能が、前記第１プロトコル用メッセージを含む第２プロトコル用メッセージを、前記ハンドオーバ先無線基地局に再送する工程と、
前記交換機の第１プロトコル機能が、前記交換機の第２プロトコル機能からの再送要求に応じて、前記再送タイマをリセットする工程とを有することを特徴とする移動通信方法。
【請求項２】
移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法で用いられる交換機であって、
前記交換機の第１プロトコル機能は、
第１プロトコルレイヤ用メッセージを、前記交換機の第２プロトコル機能に送信すると共に、バッファに蓄積するように構成されており、
前記第１プロトコルレイヤ用メッセージを、前記交換機の第２プロトコル機能に送信する際に、該第１プロトコルレイヤ用メッセージの再送タイミングを決定する再送タイマを起動するように構成されており、
前記交換機の第２プロトコル機能から受信した前記第１プロトコルレイヤ用メッセージの再送要求に応じて、前記交換機の第２プロトコル機能に、前記バッファに蓄積されている該第１プロトコルレイヤ用メッセージを再送するように構成されており、
前記交換機の第２プロトコル機能からの再送要求に応じて、前記再送タイマをリセットするように構成されており、
前記交換機の第２プロトコル機能は、
前記交換機の第１プロトコル機能から受信した前記第１プロトコル用メッセージを含む第２プロトコル用メッセージを、ハンドオーバ元無線基地局に送信するように構成されており、
前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、前記交換機の第１プロトコル機能に、前記再送要求を送信するように構成されており、
前記交換機の第１プロトコル機能から受信した前記第１プロトコル用メッセージを含む第２プロトコル用メッセージを、前記ハンドオーバ先無線基地局に再送するように構成されていることを特徴とする交換機。
【発明の詳細な説明】
【技術分野】
【０００１】
本発明は、移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法、及び、交換機に関する。
【背景技術】
【０００２】
図１０に、従来のＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を含む移動通信システムの構成について示す。
【０００３】
ここで、図１０を参照して、かかる移動通信システムにおいて、「Ｓ-ＲＮＣ（Ｓｅｒｖｉｎｇ  Ｒａｄｉｏ  Ｎｅｔｗｏｒｋ  Ｃｏｎｔｒｏｌｌｅｒ）  Ｒｅｌｏｃａｔｉｏｎ」が発生した場合の動作について説明する。
【０００４】
図１０に示すように、かかる移動通信システムでは、ステップＳ１０１において、移動局ＵＥ（Ｕｓｅｒ  Ｅｑｕｉｐｍｅｎｔ）について、無線制御局ＲＮＣ＃１から無線制御局ＲＮＣ＃２への「Ｓ-ＲＮＣ  Ｒｅｌｏｃａｔｉｏｎ」が発生した後に、ステップＳ１０２において、交換機ＸＧＳＮが、無線制御局ＲＮＣ＃１に対して、「ＮＡＳ-ＰＤＵ（Ｎｏｎ  Ａｃｃｅｓｓ  Ｓｔｒａｔｕｍ-Ｐｒｏｔｏｃｏｌ  Ｄａｔａ  Ｕｎｉｔ）」を送信した場合、ステップＳ１０３において、無線制御局ＲＮＣ＃１が、当該ＮＡＳ-ＰＤＵを廃棄する。
【非特許文献１】３ＧＰＰ  ＴＳ２５.４１３  ＵＴＲＡＮ  Ｉｕ  Ｉｎｔｅｒｆａｃｅ  ＲＡＮＡＰ  Ｓｉｇｎａｌｉｎｇ
【非特許文献２】３ＧＰＰ  Ｒ３-０６２００３  ＮＡＳ  Ｓｉｇｎａｌｉｎｇ  ｉｎ  Ｅ-ＵＴＲＡＮ
【非特許文献３】Ｒ３-０７０７００  ＬＳ  ｏｎ  ＮＡＳ  ｈａｎｄｌｉｎｇ  ｄｕｒｉｎｇ  ｉｎｔｒａ-ＬＴＥ  ｈａｎｄｏｖｅｒ
【発明の開示】
【発明が解決しようとする課題】
【０００５】
上述のように、従来の移動通信システムでは、移動局ＵＥについて、無線制御局ＲＮＣ＃１から無線制御局ＲＮＣ＃２への「Ｓ-ＲＮＣ  Ｒｅｌｏｃａｔｉｏｎ」が行われている際には、無線制御局ＲＮＣ＃１が、交換機ＸＧＳＮから送信されたＮＡＳ-ＰＤＵを廃棄してしまうため、交換機ＸＧＳＮは、無線制御局ＲＮＣ＃２に対して当該ＮＡＳ-ＰＤＵを再送することができないという問題点があった。
【０００６】
また、同様に、ＬＴＥ（Ｌｏｎｇ  Ｔｅｒｍ  Ｅｖｏｌｕｔｉｏｎ）方式の移動通信システムにおいても、移動局ＵＥのハンドオーバ中には、ハンドオーバ元無線基地局ｅＮＢが、交換機ＭＭＥ（Ｍｏｂｉｌｉｔｙ  Ｍａｎａｇｅｍｅｎｔ  Ｅｎｔｉｔｙ）から受信したＮＡＳ-ＰＤＵを当該移動局ＵＥに送信することができず、当該ＮＡＳ-ＰＤＵを廃棄してしまうため、交換機ＭＭＥが、ハンドオーバ先無線基地局ｅＮＢに対して当該ＮＡＳ-ＰＤＵを再送することができないという問題点があった。
【０００７】
そこで、本発明は、上述の課題に鑑みてなされたものであり、ＬＴＥ方式の移動通信システムにおいて、移動局ＵＥが、ハンドオーバ中である場合で、交換機ＭＭＥが、ハンドオーバ元無線基地局ｅＮＢを経由して、当該移動局ＵＥ宛てのデータを含むＮＡＳ-ＰＤＵを送信できなかった場合に、当該交換機ＭＭＥが、ハンドオーバ先無線基地局ｅＮＢを経由して当該ＮＡＳ-ＰＤＵを再送する仕組みを実現する移動通信方法及び交換機を提供することを目的とする。
【課題を解決するための手段】
【０００８】
本発明の第１の特徴は、移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法であって、前記交換機の第１プロトコル機能が、第１プロトコルレイヤ用メッセージを、前記交換機の第２プロトコル機能に送信する工程と、前記交換機の第２プロトコル機能が、前記第１プロトコル用メッセージを含む第２プロトコル用メッセージを、ハンドオーバ元無線基地局に送信する工程と、前記交換機の第２プロトコル機能が、前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、前記交換機の第１プロトコル機能に、前記第１プロトコルレイヤ用メッセージの再送要求を送信する工程と、前記交換機の第１プロトコル機能が、前記再送要求に応じて、前記交換機の第２プロトコル機能に、前記第１プロトコルレイヤ用メッセージを再送する工程と、前記第２プロトコル機能が、前記第１プロトコル用メッセージを含む第２プロトコル用メッセージを、前記ハンドオーバ先無線基地局に再送する工程とを有することを要旨とする。
【０００９】
本発明の第１の特徴において、前記交換機の第１プロトコル機能が、前記第１プロトコルレイヤ用メッセージを、前記交換機の第２プロトコル機能に送信する際に、該第１プロトコルレイヤ用メッセージの再送タイミングを決定する再送タイマを起動する工程と、前記交換機の第１プロトコル機能が、前記交換機の第２プロトコル機能からの通知に応じて、前記再送タイマをリセットする工程とを有してもよい。
【００１０】
本発明の第２の特徴は、移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法であって、前記交換機の第１プロトコル機能が、第１プロトコルレイヤ用メッセージを、前記交換機の第２プロトコル機能に送信する工程と、前記交換機の第２プロトコル機能が、前記第１プロトコル用メッセージを含む第２プロトコル用メッセージを、ハンドオーバ元無線基地局に送信する工程と、前記交換機の第２プロトコル機能が、前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、前記第１プロトコル用メッセージを含む第２プロトコル用メッセージを前記ハンドオーバ先無線基地局に再送する工程とを有することを要旨とする。
【００１１】
本発明の第２の特徴において、前記交換機の第１プロトコル機能が、前記第１プロトコルレイヤ用メッセージを、前記交換機の第２プロトコル機能に送信する際に、該第１プロトコルレイヤ用メッセージの再送タイミングを決定する第１再送タイマを起動する工程と、前記交換機の第２プロトコル機能が、前記ハンドオーバ元無線基地局から、前記第１プロトコル用メッセージの無線インターフェイスを介した前記移動局に対する転送に失敗した旨を通知する第２プロトコル用応答メッセージを受信した後、前記ハンドオーバ先無線基地局から、前記移動局のハンドオーバが完了した旨の通知を受信した場合に、その旨を前記交換機の第１プロトコル機能に通知する工程と、前記交換機の第１プロトコル機能が、前記交換機の第２プロトコル機能からの通知に応じて、前記第１再送タイマをリセットする工程とを有してもよい。
【００１２】
本発明の第２の特徴において、前記交換機の第２プロトコル機能が、前記第２プロトコルレイヤ用メッセージを、前記ハンドオーバ元無線基地局に送信する際に、該第２プロトコルレイヤ用メッセージの再送タイミングを決定する第２再送タイマを起動する工程と、前記交換機の第２プロトコル機能が、前記ハンドオーバ元無線基地局から、前記第１プロトコル用メッセージの無線インターフェイスを介した前記移動局に対する転送に失敗した旨を通知する第２プロトコル用応答メッセージを受信した後、前記ハンドオーバ先無線基地局から、前記移動局のハンドオーバが完了した旨の通知を受信した場合に、前記第２再送タイマをリセットする工程とを有してもよい。
【００１３】
本発明の第２の特徴において、前記ハンドオーバ元無線基地局が、前記第２プロトコルにおけるシーケンス番号によって、前記転送に失敗した前記第２プロトコル用メッセージを特定してもよい。
【００１４】
本発明の第２の特徴において、前記ハンドオーバ元無線基地局が、前記第２プロトコルの下位レイヤのプロトコルにおけるシーケンス番号によって、前記転送に失敗した前記第２プロトコル用メッセージを特定してもよい。
【００１５】
本発明の第３の特徴は、移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法で用いられる交換機であって、前記交換機の第１プロトコル機能は、第１プロトコルレイヤ用メッセージを、前記交換機の第２プロトコル機能に送信すると共に、バッファに蓄積するように構成されており、前記交換機の第２プロトコル機能から受信した前記第１プロトコルレイヤ用メッセージの再送要求に応じて、前記交換機の第２プロトコル機能に、前記バッファに蓄積されている該第１プロトコルレイヤ用メッセージを再送するように構成されており、前記交換機の第２プロトコル機能は、  前記交換機の第１プロトコル機能から受信した前記第１プロトコル用メッセージを含む第２プロトコル用メッセージを、ハンドオーバ元無線基地局に送信するように構成されており、前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、前記交換機の第１プロトコル機能に、前記再送要求を送信するように構成されており、前記交換機の第１プロトコル機能から受信した前記第１プロトコル用メッセージを含む第２プロトコル用メッセージを、前記ハンドオーバ先無線基地局に再送するように構成されていることを要旨とする。
【００１６】
本発明の第３の特徴において、前記交換機の第１プロトコル機能は、前記第１プロトコルレイヤ用メッセージを、前記交換機の第２プロトコル機能に送信する際に、該第１プロトコルレイヤ用メッセージの再送タイミングを決定する再送タイマを起動するように構成されており、前記交換機の第１プロトコル機能は、前記交換機の第２プロトコル機能からの通知に応じて、前記再送タイマをリセットするように構成されていてもよい。
【００１７】
本発明の第４の特徴は、移動局が、ハンドオーバを行っている際に、第１プロトコルとして機能する第１プロトコル機能及び該第１プロトコルの下位レイヤである第２プロトコルとして機能する第２プロトコル機能を具備する交換機が、該第２プロトコルとして機能する第２プロトコル機能を具備する無線基地局に対して、第１プロトコル用メッセージを含む第２プロトコル用メッセージを送信し、該無線基地局が、該第１プロトコルを終端する第１プロトコル機能を具備する移動局に対して、該第１プロトコル用メッセージを送信する移動通信方法で用いられる交換機であって、前記交換機の第１プロトコル機能は、第１プロトコルレイヤ用メッセージを、前記交換機の第２プロトコル機能に送信するように構成されており、前記交換機の第２プロトコル機能は、前記交換機の第１プロトコル機能から受信した前記第１プロトコル用メッセージを含む第２プロトコル用メッセージを、ハンドオーバ元無線基地局に送信すると共に、バッファに蓄積するように構成されており、前記ハンドオーバ元無線基地局から、前記第１プロトコル用メッセージの無線インターフェイスを介した前記移動局に対する転送に失敗した旨を通知する第２プロトコル用応答メッセージを受信した後、ハンドオーバ先無線基地局から、前記移動局のハンドオーバが完了した旨の通知を受信した場合に、バッファに蓄積されている前記第２プロトコル用メッセージを前記ハンドオーバ先無線基地局に再送するように構成されていることを要旨とする。
【００１８】
本発明の第４の特徴において、前記交換機の第１プロトコル機能は、前記第１プロトコルレイヤ用メッセージを、前記交換機の第２プロトコル機能に送信する際に、該第１プロトコルレイヤ用メッセージの再送タイミングを決定する第１再送タイマを起動するように構成されており、前記交換機の第２プロトコル機能は、前記ハンドオーバ元無線基地局から、前記第１プロトコル用メッセージの無線インターフェイスを介した前記移動局に対する転送に失敗した旨を通知する第２プロトコル用応答メッセージを受信した後、前記ハンドオーバ先無線基地局から、前記移動局のハンドオーバが完了した旨の通知を受信した場合に、その旨を前記交換機の第１プロトコル機能に通知するように構成されており、前記交換機の第１プロトコル機能は、前記交換機の第２プロトコル機能からの通知に応じて、前記第１再送タイマをリセットするように構成されていてもよい。
【００１９】
本発明の第４の特徴において、前記交換機の第２プロトコル機能は、前記第２プロトコルレイヤ用メッセージを、前記ハンドオーバ元無線基地局に送信する際に、該第２プロトコルレイヤ用メッセージの再送タイミングを決定する第２再送タイマを起動するように構成されており、前記交換機の第２プロトコル機能は、前記ハンドオーバ元無線基地局から、前記第１プロトコル用メッセージの無線インターフェイスを介した前記移動局に対する転送に失敗した旨を通知する第２プロトコル用応答メッセージを受信した後、前記ハンドオーバ先無線基地局から、前記移動局のハンドオーバが完了した旨の通知を受信した場合に、前記第２再送タイマをリセットするように構成されていてもよい。
【発明の効果】
【００２０】
以上説明したように、本発明によれば、ＬＴＥ方式の移動通信システムにおいて、移動局ＵＥが、ハンドオーバ中である場合で、交換機ＭＭＥが、ハンドオーバ元無線基地局ｅＮＢを経由して、当該移動局ＵＥ宛てのデータを含むＮＡＳ-ＰＤＵを送信できなかった場合に、当該交換機ＭＭＥが、ハンドオーバ先無線基地局ｅＮＢを経由して当該ＮＡＳ-ＰＤＵを再送する仕組みを実現する移動通信方法及び交換機を提供することができる。
【発明を実施するための最良の形態】
【００２１】
（本発明の第１の実施形態に係る移動通信システムの構成）
図１乃至図３を参照して、本発明の第１の実施形態に係る移動通信システムの構成について説明する。
【００２２】
本実施形態では、移動通信システムとして、ＬＴＥ（Ｌｏｎｇ  Ｔｅｒｍ  Ｅｖｏｌｕｔｉｏｎ）方式の移動通信システムを例として説明するが、本発明は、ＬＴＥ方式の移動通信システム以外の移動通信システムにも適用可能である。
【００２３】
なお、本実施形態を説明するための全図において、同一機能を有するものに対しては同一符号を付与し、繰り返しの説明は省略する。
【００２４】
図１に示すように、本実施形態に係る移動通信システムは、交換機ＭＭＥと、複数の無線基地局ｅＮＢ＃１、ｅＮＢ＃２と、移動局ＵＥとを具備している。
【００２５】
本実施形態に係る移動通信システムでは、移動局ＵＥが、ハンドオーバ元無線基地局ｅＮＢ＃１とハンドオーバ先無線基地局ｅＮＢ＃２との間でハンドオーバ（ハード・ハンドオーバ）を行っている際に、ＮＡＳプロトコル（第１プロトコル）として機能するＮＡＳ機能（第１プロトコル機能）及びＮＡＳプロトコル（第１プロトコル）の下位レイヤであるＳ１-ＡＰプロトコル（第２プロトコル）として機能するＳ１-ＡＰ機能（第２プロトコル機能）を具備する交換機ＭＭＥが、Ｓ１-ＡＰ機能（第２プロトコル機能）を具備するハンドオーバ元無線基地局ｅＮＢ＃１及びハンドオーバ先無線基地局ｅＮＢ＃２に対して、ＮＡＳ-ＰＤＵ（第１プロトコル用メッセージ）を含むＳ１-ＡＰ用メッセージ（第２プロトコル用メッセージ）を送信し、ハンドオーバ先無線基地局ｅＮＢ＃２が、ＮＡＳプロトコルを終端するＮＡＳ機能（第１プロトコル機能）を具備する移動局ＵＥに対して、ＮＡＳ-ＰＤＵ（第１プロトコル用メッセージ）を送信するように構成されている。
【００２６】
図２を参照して、本実施形態に係る移動通信システムにおけるプロトコルスタックについて説明する。
【００２７】
図２に示すように、移動局ＵＥと無線基地局ｅＮＢとの間は、上位レイヤから順に、ＲＲＣ（Ｒａｄｉｏ  Ｒｅｓｏｕｒｃｅ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、ＲＬＣ（Ｒａｄｉｏ  Ｌｉｎｋ  Ｃｏｎｔｒｏｌ）レイヤと、ＭＡＣ（Ｍｅｄｉａ  Ａｃｃｅｓｓ  Ｃｏｎｔｒｏｌ）レイヤと、物理レイヤとからなる無線インターフェイスのプロトコルスタックによって通信可能である。
【００２８】
また、無線基地局ｅＮＢと交換機ＭＭＥとの間は、上位レイヤから順に、Ｓ１-ＡＰレイヤと、ＳＣＴＰ（Ｓｔｒｅａｍ  Ｃｏｎｔｒｏｌ  Ｔｒａｎｓｐｏｒｔ  Ｐｒｏｔｏｃｏｌ）レイヤと、ＩＰ（Ｉｎｔｅｒｎｅｔ  Ｐｒｏｔｏｃｏｌ）レイヤと、データリンクレイヤと、Ｌ１レイヤとからなるＴＮＬ（Ｔｒａｎｓｐｏｒｔ  Ｎｅｔｗｏｒｋ  Ｌａｙｅｒ）のプロトコルスタックによって通信可能である。
【００２９】
さらに、移動局ＵＥと交換機ＭＭＥとの間は、ＮＡＳプロトコルによって通信可能である。
【００３０】
図３に示すように、交換機ＭＭＥのＮＡＳ機能（第１プロトコル機能）は、バッファ１１と、ＮＡＳタイマ管理部１２と、ＮＡＳ-ＰＤＵ送信部１３と、受信部１４とを具備している。
【００３１】
バッファ１１は、交換機ＭＭＥのＳ１-ＡＰ機能（第２プロトコル機能）に対して送信したＮＡＳ-ＰＤＵ（第１プロトコルレイヤ用メッセージ）について、無線基地局ｅＮＢへの送信が完了するまでの間、バッファリングするように構成されている。
【００３２】
ＮＡＳタイマ管理部１２は、ＮＡＳ-ＰＤＵの再送タイミングを決定するＮＡＳタイマ（再送タイマ）の起動・リセット・停止について制御するように構成されている。
【００３３】
例えば、ＮＡＳタイマ管理部１２は、ＮＡＳ-ＰＤＵ送信部１３によってＮＡＳ-ＰＤＵが送信された場合に、ＮＡＳタイマを起動するように構成されている。
【００３４】
また、ＮＡＳタイマ管理部１２は、交換機ＭＭＥのＳ１-ＡＰ機能から受信したＮＡＳ-ＰＤＵの再送要求に応じて、ＮＡＳタイマをリセットするように構成されている。
【００３５】
また、ＮＡＳタイマ管理部１２は、ＮＡＳタイマが満了した場合に、ＮＡＳ-ＰＤＵ送信部１３に対して、ＮＡＳ-ＰＤＵを再送するように指示することができる。
【００３６】
ＮＡＳ-ＰＤＵ送信部１３は、交換機ＭＭＥのＳ１-ＡＰ機能に対して、ＮＡＳ-ＰＤＵを送信するように構成されている。
【００３７】
また、ＮＡＳ-ＰＤＵ送信部１３は、ＮＡＳタイマ管理部１２から、ＮＡＳタイマの満了時の指示を受信した場合に、交換機ＭＭＥのＳ１-ＡＰ機能に対して、ＮＡＳ-ＰＤＵを再送するように構成されている。
【００３８】
さらに、ＮＡＳ-ＰＤＵ送信部１３は、受信部１４によって交換機ＭＭＥのＳ１-ＡＰ機能からのＮＡＳ-ＰＤＵの再送要求（Ｒｅ-ｓｅｎｄｉｎｇ  ｒｅｑｕｅｓｔ）が受信された場合に、交換機ＭＭＥのＳ１-ＡＰ機能に対して、該当するＮＡＳ-ＰＤＵを再送するように構成されている。
【００３９】
受信部１４は、交換機ＭＭＥのＳ１-ＡＰ機能から送信されるデータを受信するように構成されている。
【００４０】
例えば、受信部１４は、交換機ＭＭＥのＳ１-ＡＰ機能から、無線基地局ｅＮＢにおいて、ＮＡＳ-ＰＤＵの無線インターフェイスを介した移動局ＵＥに対する転送に失敗した旨の通知を受信するように構成されている。
【００４１】
また、受信部１４は、交換機ＭＭＥのＳ１-ＡＰ機能から、ＮＡＳ-ＰＤＵの再送要求を受信するように構成されている。
【００４２】
交換機ＭＭＥのＳ１-ＡＰ機能は、交換機ＭＭＥのＮＡＳ機能から受信したＮＡＳ-ＰＤＵを含むＳ１-ＡＰ用メッセージを、ハンドオーバ元無線基地局ｅＮＢ＃１に送信するように構成されている。
【００４３】
また、交換機ＭＭＥのＳ１-ＡＰ機能は、ハンドオーバ元無線基地局ｅＮＢ＃１から、ＮＡＳ-ＰＤＵの無線インターフェイスを介した移動局ＵＥに対する転送に失敗した旨を通知するＳ１-ＡＰ用応答メッセージを受信した後、ハンドオーバ先無線基地局ｅＮＢ＃２から、移動局ＵＥのハンドオーバが完了した旨の通知（ＨＯ  Ｃｏｍｐｌｅｔｅ）を受信した場合に、交換機ＭＭＥのＮＡＳ機能に、かかるＮＡＳ-ＰＤＵの再送要求を送信するように構成されている。
【００４４】
さらに、交換機ＭＭＥのＳ１-ＡＰ機能は、交換機ＭＭＥのＮＡＳ機能から受信したＮＡＳ-ＰＤＵを含むＳ１-ＡＰ用メッセージを、ハンドオーバ先無線基地局ｅＮＢ＃２に再送するように構成されている。
【００４５】
（本発明の第１の実施形態に係る移動通信システムの動作）
図４を参照して、本発明の第１の実施形態に係る移動通信システムにおける移動局ＵＥのハンドオーバ時の動作について説明する。
【００４６】
図４に示すように、ステップＳ１００１において、交換機ＭＭＥのＮＡＳ機能が、移動局ＵＥ宛てのデータを含むＮＡＳ-ＰＤＵ＃Ａをバッファリングすると共に、ＮＡＳタイマを起動する。
【００４７】
ステップＳ１００２において、交換機ＭＭＥのＮＡＳ機能が、交換機ＭＭＥのＳ１-ＡＰ機能に対して、当該ＮＡＳ-ＰＤＵ＃Ａを送信する。
【００４８】
ステップＳ１００３において、交換機ＭＭＥのＳ１-ＡＰ機能が、移動局ＵＥのハンドオーバ元無線基地局ｅＮＢ＃１のＳ１-ＡＰ機能に対して、当該ＮＡＳ-ＰＤＵ＃Ａを含むＳ１-ＡＰ用メッセージ「ＤＬ  ＮＡＳ  Ｔｒａｎｓｐｏｒｔ」を送信する。
【００４９】
ステップＳ１００４において、ハンドオーバ元無線基地局ｅＮＢ＃１のＳ１-ＡＰ機能が、交換機ＭＭＥのＳ１-ＡＰ機能に対して、ＮＡＳ-ＰＤＵの無線インターフェイスを介した移動局ＵＥへの転送が失敗した旨を通知するためのＳ１-ＡＰ用応答メッセージ「ＮＡＳ  ｎｏｎ-ｄｅｌｉｖｅｒｙ  ｉｎｄｉｃａｔｉｏｎ」を送信する。
【００５０】
ステップＳ１００５において、交換機ＭＭＥのＳ１-ＡＰ機能が、交換機ＭＭＥのＮＡＳ機能に対して、ＮＡＳ-ＰＤＵの無線インターフェイスを介した移動局ＵＥへの転送が失敗した旨（「ＮＡＳ  ｎｏｎ-ｄｅｌｉｖｅｒｙ  ｉｎｄｉｃａｔｉｏｎ」）を通知する。
【００５１】
ステップＳ１００６において、移動局ＵＥのハンドオーバ先無線基地局ｅＮＢ＃２が、当該移動局ＵＥのハンドオーバが完了した旨の通知である「ＨＯ  Ｃｏｍｐｌｅｔｅ」を、交換機ＭＭＥのＳ１-ＡＰ機能に対して送信する。
【００５２】
ステップＳ１００７において、交換機ＭＭＥのＳ１-ＡＰ機能が、受信した「ＨＯ  Ｃｏｍｐｌｅｔｅ」に応じて、当該ＮＡＳ-ＰＤＵの再送要求（Ｒｅ-ｓｅｎｄｉｎｇ  ｒｅｑｕｅｓｔ）を、交換機ＭＭＥのＮＡＳ機能に対して送信する。
【００５３】
ＮＡＳタイマが満了する前に当該再送要求を受信した交換機ＭＭＥのＮＡＳ機能が、ステップＳ１００８において、ＮＡＳタイマをリセットすると共に、ステップＳ１００９において、交換機ＭＭＥのＳ１-ＡＰ機能に対して、当該ＮＡＳ-ＰＤＵを再送する。
【００５４】
ステップＳ１０１０において、交換機ＭＭＥのＳ１-ＡＰ機能が、移動局ＵＥのハンドオーバ先無線基地局ｅＮＢ＃２のＳ１-ＡＰ機能に対して、当該ＮＡＳ-ＰＤＵ＃Ａを含むＳ１-ＡＰ用メッセージ「ＤＬ  ＮＡＳ  Ｔｒａｎｓｐｏｒｔ」を再送する。
【００５５】
（本発明の第１の実施形態に係る移動通信システムの作用・効果）
本実施形態に係る移動通信システムによれば、ＬＴＥ方式の移動通信システムにおいて、交換機ＭＭＥのＳ１-ＡＰ機能が、移動局ＵＥのハンドオーバが完了したことを検知した場合に、Ｉｎｔｅｒ-Ｌａｙｅｒメッセージにて交換機ＭＭＥのＮＡＳ機能に通知し、交換機ＭＭＥのＮＡＳ機能が、バッファリングしているＮＡＳ-ＰＤＵを交換機ＭＭＥのＳ１-ＡＰ機能に対して再送することができるため、交換機ＭＭＥが、ハンドオーバ先無線基地局ｅＮＢを経由して、ＮＡＳ-ＰＤＵを再送する仕組みを実現することができる。
【００５６】
（本発明の第２の実施形態に係る移動通信システム）
図５乃至図７を参照して、本発明の第２の実施形態に係る移動通信システムについて説明する。以下、本実施形態に係る移動通信システムについて、上述の第１の実施形態に係る移動通信システムとの相違点を主として説明する。
【００５７】
図５に示すように、本実施形態に係る交換機ＭＭＥのＳ１-ＡＰ機能は、バッファ２１と、Ｓ１-ＡＰタイマ管理部２２と、ＮＡＳ-ＰＤＵ受信部２３と、無線基地局インターフェイス２４と、ＮＡＳ  ｎｏｎ-ｄｅｌｉｖｅｒｙ  ｉｎｄｉｃａｔｉｏｎ送信部２５とを具備している。
【００５８】
バッファ２１は、無線基地局ｅＮＢのＳ１-ＡＰ機能に対して送信したＳ１-ＡＰ用メッセージ（「ＤＬ  ＮＡＳ  Ｔｒａｎｓｐｏｒｔ」）について、無線基地局ｅＮＢへの送信が完了するまでの間、バッファリングするように構成されている。
【００５９】
Ｓ１-ＡＰタイマ管理部２２は、Ｓ１-ＡＰ用メッセージ（「ＤＬ  ＮＡＳ  Ｔｒａｎｓｐｏｒｔ」）の再送タイミングを決定するＳ１-ＡＰタイマ（第２再送タイマ）の起動・リセット・停止について制御するように構成されている。
【００６０】
例えば、Ｓ１-ＡＰタイマ管理部２２は、無線基地局インターフェイス２４によってＳ１-ＡＰ用メッセージ（「ＤＬ  ＮＡＳ  Ｔｒａｎｓｐｏｒｔ」）が送信された場合に、Ｓ１-ＡＰタイマを起動するように構成されている。
【００６１】
また、Ｓ１-ＡＰタイマ管理部２２は、無線基地局ｅＮＢのＳ１-ＡＰ機能から受信したＳ１-ＡＰ用応答メッセージ（「ＮＡＳ  ｎｏｎ-ｄｅｌｉｖｅｒｙ  ｉｎｄｉｃａｔｉｏｎ」）及び「ＨＯ  Ｃｏｍｐｌｅｔｅ」に応じて、Ｓ１-ＡＰタイマをリセットするように構成されている。
【００６２】
また、Ｓ１-ＡＰタイマ管理部２２は、Ｓ１-ＡＰタイマが満了した場合に、無線基地局ｅＮＢのＳ１-ＡＰ機能に対して、Ｓ１-ＡＰ用メッセージ（「ＤＬ  ＮＡＳ  Ｔｒａｎｓｐｏｒｔ」）を再送することができる。
【００６３】
さらに、無線基地局インターフェイス２４が、ハンドオーバ元無線基地局ｅＮＢ＃１から、上述のＳ１-ＡＰ用メッセージ（「ＤＬ  ＮＡＳ  Ｔｒａｎｓｐｏｒｔ」）の転送に失敗した旨を通知するＳ１-ＡＰ用応答メッセージ（「ＮＡＳ  ｎｏｎ−ｄｅｌｉｖｅｒｙ  ｉｎｄｉｃａｔｉｏｎ」）を受信した後、ハンドオーバ先無線基地局ｅＮＢ＃２から、移動局ＵＥのハンドオーバが完了した旨の通知（「ＨＯ  Ｃｏｍｐｌｅｔｅ」）を受信した場合に、Ｓ１-ＡＰタイマ管理部２２は、Ｓ１-ＡＰタイマをリセットするように構成されている。
【００６４】
ＮＡＳ-ＰＤＵ受信部２３は、交換機ＭＭＥのＳ１-ＡＰ機能から、ＮＡＳ-ＰＤＵを受信するように構成されている。
【００６５】
無線基地局インターフェイス２４は、無線基地局ｅＮＢとの間で、データの送受信を行うように構成されている。
【００６６】
例えば、無線基地局インターフェイス２４は、無線基地局ｅＮＢに対して、交換機ＭＭＥのＳ１-ＡＰ機能から受信したＮＡＳ-ＰＤＵを含むＳ１-ＡＰ用メッセージ（「ＤＬ  ＮＡＳ  Ｔｒａｎｓｐｏｒｔ」）を送信するように構成されている。
【００６７】
図６に、かかるＳ１-ＡＰ用メッセージ（「ＤＬ  ＮＡＳ  Ｔｒａｎｓｐｏｒｔ」）のフォーマット例を示す。
【００６８】
また、無線基地局インターフェイス２４は、無線基地局ｅＮＢ＃１のＳ１-ＡＰ機能から、Ｓ１-ＡＰ用応答メッセージ（「ＮＡＳ  ｎｏｎ−ｄｅｌｉｖｅｒｙ  ｉｎｄｉｃａｔｉｏｎ」）や、「ＨＯ  Ｃｏｍｐｌｅｔｅ」等を受信するように構成されている。
【００６９】
さらに、無線基地局インターフェイス２４は、ハンドオーバ元無線基地局ｅＮＢ＃１から、上述のＳ１-ＡＰ用メッセージ（「ＤＬ  ＮＡＳ  Ｔｒａｎｓｐｏｒｔ」）の転送に失敗した旨を通知するＳ１-ＡＰ用応答メッセージ（「ＮＡＳ  ｎｏｎ−ｄｅｌｉｖｅｒｙ  ｉｎｄｉｃａｔｉｏｎ」）を受信した後、ハンドオーバ先無線基地局ｅＮＢ＃２から、移動局ＵＥのハンドオーバが完了した旨の通知（「ＨＯ  Ｃｏｍｐｌｅｔｅ」）を受信した場合に、当該Ｓ１-ＡＰ用メッセージ（「ＤＬ  ＮＡＳ  Ｔｒａｎｓｐｏｒｔ」）を再送するように構成されている。
【００７０】
また、無線基地局インターフェイス２４が、ハンドオーバ元無線基地局ｅＮＢ＃１から、上述のＮＡＳ-ＰＤＵの無線インターフェイスを介した移動局ＵＥへの転送に失敗した旨を通知するＳ１-ＡＰ用応答メッセージ（「ＮＡＳ  ｎｏｎ−ｄｅｌｉｖｅｒｙ  ｉｎｄｉｃａｔｉｏｎ」）を受信した後、ハンドオーバ先無線基地局ｅＮＢ＃２から、移動局ＵＥのハンドオーバが完了した旨の通知（「ＨＯ  Ｃｏｍｐｌｅｔｅ」）を受信した場合に、ＮＡＳ  ｎｏｎ-ｄｅｌｉｖｅｒｙ  ｉｎｄｉｃａｔｉｏｎ送信部２５は、その旨を示す通知（「ＮＡＳ  ｎｏｎ-ｄｅｌｉｖｅｒｙ  ｉｎｄｉｃａｔｉｏｎ」）を、交換機ＭＭＥのＮＡＳ機能に送信するように構成されている。
【００７１】
交換機ＭＭＥのＮＡＳ機能は、ＮＡＳ-ＰＤＵを、交換機ＭＭＥのＳ１-ＡＰ機能に送信すると共に、ＮＡＳタイマ（第１再送タイマ）を起動するように構成されている。
【００７２】
また、交換機ＭＭＥのＮＡＳ機能は、交換機ＭＭＥのＳ１-ＡＰ機能からの通知（「ＮＡＳ  ｎｏｎ-ｄｅｌｉｖｅｒｙ  ｉｎｄｉｃａｔｉｏｎ」）に応じて、ＮＡＳタイマをリセットするように構成されている。
【００７３】
次に、図７を参照して、本発明の第２の実施形態に係る移動通信システムにおける移動局ＵＥのハンドオーバ時の動作について説明する。
【００７４】
図７に示すように、ステップＳ２００１において、交換機ＭＭＥのＮＡＳ機能が、移動局ＵＥ宛てのデータを含むＮＡＳ-ＰＤＵ＃Ａをバッファリングすると共に、ＮＡＳタイマを起動する。
【００７５】
ステップＳ２００２において、交換機ＭＭＥのＮＡＳ機能が、交換機ＭＭＥのＳ１-ＡＰ機能に対して、当該ＮＡＳ-ＰＤＵ＃Ａを送信する。
【００７６】
ステップＳ２００３Ａにおいて、交換機ＭＭＥのＳ１-ＡＰ機能が、当該ＮＡＳ-ＰＤＵ＃Ａを含むＳ１-ＡＰ用メッセージ「ＤＬ  ＮＡＳ  Ｔｒａｎｓｐｏｒｔ」をバッファリングすると共に、Ｓ１-ＡＰタイマを起動する。
【００７７】
ステップＳ２００３Ｂにおいて、交換機ＭＭＥのＳ１-ＡＰ機能が、移動局ＵＥのハンドオーバ元無線基地局ｅＮＢ＃１のＳ１-ＡＰ機能に対して、当該ＮＡＳ-ＰＤＵ＃Ａを含むＳ１-ＡＰ用メッセージ「ＤＬ  ＮＡＳ  Ｔｒａｎｓｐｏｒｔ」を送信する。
【００７８】
ステップＳ２００４において、ハンドオーバ元無線基地局ｅＮＢ＃１のＳ１-ＡＰ機能が、交換機ＭＭＥのＳ１-ＡＰ機能に対して、ＮＡＳ-ＰＤＵの無線インターフェイスを介した移動局ＵＥへの転送が失敗した旨を通知するためのＳ１-ＡＰ用応答メッセージ「ＮＡＳ  ｎｏｎ-ｄｅｌｉｖｅｒｙ  ｉｎｄｉｃａｔｉｏｎ」を送信する。
【００７９】
ステップＳ２００５において、交換機ＭＭＥのＳ１-ＡＰ機能が、交換機ＭＭＥのＮＡＳ機能に対して、ＮＡＳ-ＰＤＵの無線インターフェイスを介した移動局ＵＥへの転送が失敗した旨（「ＮＡＳ  ｎｏｎ-ｄｅｌｉｖｅｒｙ  ｉｎｄｉｃａｔｉｏｎ」）を通知すると、ステップＳ２００６Ａにおいて、交換機ＭＭＥのＮＡＳ機能が、ＮＡＳタイマをリセットする。
【００８０】
ステップＳ２００６Ｂにおいて、移動局ＵＥのハンドオーバ先無線基地局ｅＮＢ＃２が、当該移動局ＵＥのハンドオーバが完了した旨の通知である「ＨＯ  Ｃｏｍｐｌｅｔｅ」を、交換機ＭＭＥのＳ１-ＡＰ機能に対して送信する。
【００８１】
交換機ＭＭＥのＳ１-ＡＰ機能が、受信した「ＨＯ  Ｃｏｍｐｌｅｔｅ」に応じて、ステップＳ２００７において、Ｓ１-ＡＰタイマをリセットすると共に、ステップＳ２００８において、ハンドオーバ先無線基地局ｅＮＢ＃２のＳ１-ＡＰ機能に対して、当該Ｓ１-ＡＰ用メッセージ「ＤＬ  ＮＡＳ  Ｔｒａｎｓｐｏｒｔ」を再送する。
【００８２】
本実施形態に係る移動通信システムによれば、交換機ＭＭＥのＳ１-ＡＰ機能が、ＮＡＳ-ＰＤＵを含むＳ１-ＡＰ用メッセージ「ＤＬ  ＮＡＳ  Ｔｒａｎｓｐｏｒｔ」の無線基地局ｅＮＢに対する再送を行いつつ、交換機ＭＭＥのＮＡＳ機能に、かかる再送について通知するように構成されているため、交換機ＭＭＥのＳ１-ＡＰ機能及び交換機ＭＭＥのＮＡＳ機能によるＮＡＳ-ＰＤＵの二重再送を回避することができる。
【００８３】
（本発明の第３の実施形態に係る移動通信システム）
図８及び図９を参照して、本発明の第３の実施形態に係る移動通信システムについて説明する。以下、本実施形態に係る移動通信システムについて、上述の第１及び第２の実施形態に係る移動通信システムとの相違点を主として説明する。
【００８４】
図８に示すように、ステップＳ３００１において、交換機ＭＭＥのＮＡＳ機能が、移動局ＵＥ宛てのデータを含むＮＡＳ-ＰＤＵ＃Ａ及びＮＡＳ-ＰＤＵ＃Ｂをバッファリングすると共に、ＮＡＳ-ＰＤＵ＃Ａ及びＮＡＳ-ＰＤＵ＃Ｂのそれぞれに対応するＮＡＳタイマ（Ａ）及びＮＡＳタイマ（Ｂ）を起動する。
【００８５】
交換機ＭＭＥのＮＡＳ機能は、交換機ＭＭＥのＳ１-ＡＰ機能に対して、ステップＳ３００２において、当該ＮＡＳ-ＰＤＵ＃Ａを送信すると共に、ステップＳ３００３において、当該ＮＡＳ-ＰＤＵ＃Ｂを送信する。
【００８６】
ステップＳ３００４において、交換機ＭＭＥのＳ１-ＡＰ機能が、当該ＮＡＳ-ＰＤＵ＃Ａを含むＳ１-ＡＰ用メッセージ「ＤＬ  ＮＡＳ  Ｔｒａｎｓｐｏｒｔ  ＃Ａ」及び当該ＮＡＳ-ＰＤＵ＃Ｂを含むＳ１-ＡＰ用メッセージ「ＤＬ  ＮＡＳ  Ｔｒａｎｓｐｏｒｔ  ＃Ｂ」をバッファリングすると共に、「ＤＬ  ＮＡＳ  Ｔｒａｎｓｐｏｒｔ  ＃Ａ」及び「ＤＬ  ＮＡＳ  Ｔｒａｎｓｐｏｒｔ  ＃Ｂ」のそれぞれに対応するＳ１-ＡＰタイマ（Ａ）及びＳ１-ＡＰタイマ（Ｂ）を起動する。
【００８７】
交換機ＭＭＥのＳ１-ＡＰ機能が、移動局ＵＥのハンドオーバ元無線基地局ｅＮＢ＃１のＳ１-ＡＰ機能に対して、ステップＳ３００５において、当該ＮＡＳ-ＰＤＵ＃Ａを含むＳ１-ＡＰ用メッセージ「ＤＬ  ＮＡＳ  Ｔｒａｎｓｐｏｒｔ  ＃Ａ」を送信すると共に、ステップＳ３００６において、当該ＮＡＳ-ＰＤＵ＃Ｂを含むＳ１-ＡＰ用メッセージ「ＤＬ  ＮＡＳ  Ｔｒａｎｓｐｏｒｔ  ＃Ｂ」を送信する。
【００８８】
ハンドオーバ元無線基地局ｅＮＢ＃１のＳ１-ＡＰ機能が、交換機ＭＭＥのＳ１-ＡＰ機能に対して、ステップＳ３００７において、ＮＡＳ-ＰＤＵ＃Ａの無線インターフェイスを介した移動局ＵＥへの転送が失敗した旨を通知するためのＳ１-ＡＰ用応答メッセージ「ＮＡＳ  ｎｏｎ-ｄｅｌｉｖｅｒｙ  ｉｎｄｉｃａｔｉｏｎ  ＃A」を送信すると共に、ステップＳ３００８において、ＮＡＳ-ＰＤＵ＃Ｂの無線インターフェイスを介した移動局ＵＥへの転送が失敗した旨を通知するためのＳ１-ＡＰ用応答メッセージ「ＮＡＳ  ｎｏｎ-ｄｅｌｉｖｅｒｙ  ｉｎｄｉｃａｔｉｏｎ  ＃Ｂ」を送信する。
【００８９】
ここで、ハンドオーバ元無線基地局ｅＮＢ＃１は、Ｓ１-ＡＰプロトコルにおけるシーケンス番号によって、移動局ＵＥへの転送に失敗した「ＤＬ  ＮＡＳ  Ｔｒａｎｓｐｏｒｔ」を特定してもよい。
【００９０】
また、ハンドオーバ元無線基地局ｅＮＢ＃１は、Ｓ１-ＡＰプロトコルの下位レイヤのプロトコル（例えば、ＳＣＴＰ）におけるシーケンス番号によって、移動局ＵＥへの転送に失敗した「ＤＬ  ＮＡＳ  Ｔｒａｎｓｐｏｒｔ」を特定してもよい。
【００９１】
図９に、ＳＣＴＰで用いられるペイロードデータのフォーマットの一例について示す。ここで、ハンドオーバ元無線基地局ｅＮＢ＃１は、ＳＣＴＰで用いられるペイロードデータに含まれる「Ｓｔｒｅａｍ  Ｓｅｑｕｅｎｃｅ  Ｎｕｍｂｅｒ  Ｎ」を用いて、移動局ＵＥへの転送に失敗した「ＤＬ  ＮＡＳ  Ｔｒａｎｓｐｏｒｔ」を特定してもよい。
【００９２】
さらに、ハンドオーバ元無線基地局ｅＮＢ＃１は、移動局ＵＥへの転送に失敗した「ＤＬ  ＮＡＳ  Ｔｒａｎｓｐｏｒｔ」を、交換機ＭＭＥのＳ１-ＡＰ機能に返送することによって、移動局ＵＥへの転送に失敗した「ＤＬ  ＮＡＳ  Ｔｒａｎｓｐｏｒｔ」を特定してもよい。
【００９３】
交換機ＭＭＥのＳ１-ＡＰ機能が、交換機ＭＭＥのＮＡＳ機能に対して、ステップＳ３００９において、ＮＡＳ-ＰＤＵ＃Ａの無線インターフェイスを介した移動局ＵＥへの転送が失敗した旨（「ＮＡＳ  ｎｏｎ-ｄｅｌｉｖｅｒｙ  ｉｎｄｉｃａｔｉｏｎ  ＃Ａ」）を通知すると共に、ステップＳ３０１０において、ＮＡＳ-ＰＤＵ＃Ｂの無線インターフェイスを介した移動局ＵＥへの転送が失敗した旨（「ＮＡＳ  ｎｏｎ-ｄｅｌｉｖｅｒｙ  ｉｎｄｉｃａｔｉｏｎ  ＃Ｂ」）を通知する。
【００９４】
ステップＳ３０１１において、交換機ＭＭＥのＮＡＳ機能が、ＮＡＳタイマ（Ａ）及びＮＡＳタイマ（Ｂ）をリセットする。
【００９５】
ステップＳ３０１２において、移動局ＵＥのハンドオーバ先無線基地局ｅＮＢ＃２が、当該移動局ＵＥのハンドオーバが完了した旨の通知である「ＨＯ  Ｃｏｍｐｌｅｔｅ」を、交換機ＭＭＥのＳ１-ＡＰ機能に対して送信する。
【００９６】
ステップＳ３０１３において、交換機ＭＭＥのＳ１-ＡＰ機能が、受信した「ＨＯ  Ｃｏｍｐｌｅｔｅ」に応じて、Ｓ１-ＡＰタイマ（Ａ）及びＳ１-ＡＰタイマ（Ｂ）をリセットする。
【００９７】
交換機ＭＭＥのＳ１-ＡＰ機能が、ハンドオーバ先無線基地局ｅＮＢ＃２のＳ１-ＡＰ機能に対して、ステップＳ３０１４において、当該Ｓ１-ＡＰ用メッセージ「ＤＬ  ＮＡＳ  Ｔｒａｎｓｐｏｒｔ  ＃Ａ」を再送すると共に、ステップＳ３０１５において、当該Ｓ１-ＡＰ用メッセージ「ＤＬ  ＮＡＳ  Ｔｒａｎｓｐｏｒｔ  ＃Ｂ」を再送する。
【００９８】
本実施形態に係る移動通信システムによれば、複数のＮＡＳ-ＰＤＵが同時に発生した場合であっても、どのＮＡＳ-ＰＤＵが廃棄されたかについて特定して再送することができる。
【００９９】
なお、上述の移動局ＵＥや無線基地局ｅＮＢや交換機ＭＭＥの動作は、ハードウェアによって実施されてもよいし、プロセッサによって実行されるソフトウェアモジュールによって実施されてもよいし、両者の組み合わせによって実施されてもよい。
【０１００】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【０１０２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１０３】
【図１】本発明の第１の実施形態に係る移動通信システムの全体構成図である。
【図２】本発明の第１の実施形態に係る移動通信システムにおけるプロトコルスタックを示す図である。
【図３】本発明の第１の実施形態に係る交換機（ＮＡＳ機能）の機能ブロック図である。
【図４】本発明の第１の実施形態に係る移動通信システムの動作を示すシーケンス図である。
【図５】本発明の第２の実施形態に係る交換機（Ｓ１-ＡＰ機能）の機能ブロック図である。
【図６】本発明の第２の実施形態に係る移動通信システムで用いられる「ＤＬ  ＮＡＳ  Ｔｒａｎｓｐｏｒｔ」メッセージのフォーマット例を示す図である。
【図７】本発明の第２の実施形態に係る移動通信システムの動作を示すシーケンス図である。
【図８】本発明の第３の実施形態に係る移動通信システムの動作を示すシーケンス図である。
【図９】本発明の第３の実施形態に係る移動通信システムで用いられるＳＴＣＰで用いられるペイロードデータのフォーマット例を示す図である。
【図１０】従来技術に係る移動通信システムの全体構成図である。
【符号の説明】
【０１０４】
ＭＭＥ…交換機
１１、２１…バッファ
１２…ＮＡＳタイマ管理部
１３…ＮＡＳ-ＰＤＵ送信部
１４…受信部
２２…Ｓ１-ＡＰタイマ管理部
２３…ＮＡＳ-ＰＤＵ受信部
２４…無線基地局インターフェイス
２５…ＮＡＳ  ｎｏｎ-ｄｅｌｉｖｅｒｙ  ｉｎｄｉｃａｔｉｏｎ送信部
ｅＮＢ、ＮｏｄｅＢ…無線基地局
ＲＮＣ…無線制御局
ＵＥ…移動局
【図１】
0005164508.tif 000002
【図２】
0005164508.tif 000003
【図３】
0005164508.tif 000004
【図４】
0005164508.tif 000005
【図５】
0005164508.tif 000006
【図６】
0005164508.tif 000007
【図７】
0005164508.tif 000008
【図８】
0005164508.tif 000009
【図９】
0005164508.tif 000010
【図１０】
0005164508.tif 000011